(57)【要約】      （修正有）【課題】取り扱う画像を静止画に限定し、簡単な構成の画像入力マルチ表示装置を提供すること。【解決手段】画像入力装置１００で取得した画像を複数の画像表示装置１０６，１１６で表示するマルチ画像表示システム。画像入力装置１００内の記憶手段１０３にマルチ表示設定情報を持ち、この情報を通信手段を介して画像入力装置１０６，１１６に通知し、画像入力装置では前記各画像表示装置から通知されたマルチ表示設定情報から、前記各画像表示装置の必要とする分担表示領域と表示解像度に適応した部分の画像読み取りを行う。各画像表示装置１０６，１１６側では受信したら、画像処理手段１０８，１１８において画像表示手段で表示するための画像処理を行い、画像表示手段において画像を表示する。【選択図】図１
2017198770.tif 000002
【特許請求の範囲】
【請求項１】
画像入力装置で取得した画像を、複数の画像表示装置で表示するマルチ画像表示システムであり、
画像入力装置は、
画像入力手段と、画像入力制御手段と、記憶手段と、通信手段と、からなり、
画像表示装置はそれぞれ、
画像表示手段と、画像表示制御手段と、記憶手段と、通信手段と、画像処理手段と、からなり、
前記記憶手段にマルチ表示設定情報を持ち、
この情報を通信手段を介して画像入力装置に通知し、
画像入力装置では前記各画像表示装置から通知されたマルチ表示設定情報から、前記各画像表示装置の必要とする分担表示領域と表示解像度に適応した部分の画像読み取りを行うため、画像入力制御手段は画像入力手段の読み取り条件を決定し、画像読み取りを行い、通信手段を介して対応する表示装置に送信を行う。
各画像表示装置は画像入力装置から送られてくる画像を通信手段を介して受信したら、画像処理手段において画像表示手段で表示するための画像処理を行い、画像表示手段において画像を表示することを特徴とするマルチ画像表示システム。
【請求項２】
請求項１に記載の画像読み取り条件とは画像入力手段が画像を読み取るための設定であり、読み取り解像度、読み取り範囲であることを特徴とする画像入力装置。
【請求項３】
請求項１に記載のマルチ表示設定情報が個別の表示解像度情報、分担表示領域情報、エッジブレンド領域であることを特徴とする画像入力装置。
【請求項４】
画像入力装置で取得した画像を、複数の画像表示装置で表示するマルチ画像表示システムであり、
画像入力装置は、
画像入力手段と、画像入力制御手段と、記憶手段と、通信制御手段と、通信手段と、からなり、
画像表示装置はそれぞれ、
画像表示手段と、画像表示制御手段と、記憶手段と、通信手段と、画像処理手段と、からなり、
前記記憶手段にマルチ表示設定情報を持ち、
この情報を通信手段を介して画像入力装置に通知し、
前記画像入力装置において、前記画像入力手段により画像読み取りを行い、
前記記憶手段に蓄積される。通信制御手段は前記記憶手段に記憶された画像を、
前記各画像表示装置から通知されたマルチ表示設定情報に基づき、
前記各画像表示装置の必要とする領域の画像部分を抜き出し送信を行う。
各画像表示装置は画像入力装置から送られてくる画像を通信手段を介して受信したら、
画像処理手段において画像表示手段で表示するための画像処理を行い、画像表示
手段において画像を表示することを特徴とするマルチ画像表示システム。
【請求項５】
請求項４に記載のマルチ表示設定情報が個別の表示解像度情報、分担表示領域情報、エッジブレンド領域であることを特徴とする画像入力装置。
【発明の詳細な説明】
【技術分野】
【０００１】
本発明は、画像表示装置に関し、特に書類などをスキャンして入力した画像を複数の画像表示装置で分割して表示する画像入力表示装置に関する。
【背景技術】
【０００２】
従来、複数のモニタもしくはフロントプロジェクタによる画像表示装置を組み合わせて一つの表示画面とし、高解像度画像を表示するマルチ画像表示システムがある（特許文献１参照）。
【０００３】
これは高解像度大画面の画像表示装置が非常に高価であることや、マルチ画像表示とすることにより、一つ一つの画像表示装置では低解像度の小画面であっても、複数組み合わせることによりスケーラブルに高解像度で大画面の画像表示装置を比較的安価に構成することができるため、公共スペースでの広告や交通管制などで多く用いられている。
【０００４】
一般的にこれらマルチ画像表示システムにおいては、画像分割配信装置を用いて高解像度画像を分割して各々の画像表示装置に分配している。
【０００５】
図７は画像分割配信装置を用いたフロントプロジェクタによるマルチ画像表示システムについて表した図である。ここで７０１から７０４は画像を入力する画像入力端子であり、ビデオカメラやＰＣなどから出力されたアナログビデオ信号やＤＶＩ信号などの入力端子である。
【０００６】
７０５は画像分割配信装置であり、画像入力端子７０１−７０４から入力された映像信号から目的の映像信号の選択や合成を行い、接続されるフロントプロジェクタの数や配置に従ってあらかじめエッジブレンドを行うためのエッジブレンド領域も含めたサイズで入力された画像の分割を行い、画像出力端子７０６−７０９に出力する。画像出力端子７０６−７０９から出力された画像は、フロントプロジェクタ７１０−７１３に入力される。各々のフロントプロジェクタは各々入力された映像信号に対してエッジブレンド処理を行いスクリーン７１４に投影することにより大画面で高解像度の投射画像を実現する。
【０００７】
図６は画像分割配信装置７０５の内部構成について説明した図であり、７０１−７０４は画像入力端子である。６０１−６０４は入力解像度変換・フレーム同期処理手段であり、後段での画像合成のため入力映像信号の解像度変換と共にフレーム同期処理を行う。６０５は書き込み制御手段であり、入力解像度変換・フレーム同期処理手段６０１−６０４から出力された映像信号を、後述のメモリ６０６への書き込み制御を行う。６０６はメモリであり、書き込み制御手段６０５によって入力された映像信号を記憶する。このメモリ６０６において入力された画像が一つのフレームに合成されることになる。
【０００８】
６０７は切り出し制御手段であり、メモリ６０６に書き込まれ一つの画像に合成された画像から、接続される各フロントプロジェクタ７１０−７１３に合わせて画像を切り出す。６０８は通信端子であり、通信フォーマットにあわせた形状のコネクタで構成される。６０９は通信手段であり、ＲＳ−２３２ＣやＬＡＮなどで構成され、外部のＰＣなどから画像分配分割装置７０５の設定を行う。６１０はマイコンであり、通信手段６０９より取得した設定情報に基づいて画像分割配信装置７０５全体を制御する。
【０００９】
６１１は内部通信バスであり、画像分割配信装置７０５を構成するブロック全体を接続して制御を行うためのバスである。６１２から６１５はエッジブレンド処理手段であり、画像表示装置がプロジェクタである場合に画像のエッジブレンド領域におけるゲイン処理を行う。ここで画像分割配信装置７０５に対して、前記の通り外部のＰＣから設定を行う。ＰＣからの設定情報を基にマイコン６１０では各ブロックの設定を行う。
【００１０】
画像分割配信装置７０５の動作を説明する。外部のＰＣから設定されたマイコン６１０は、４つある画像入力端子７０１−７０４のうち、どこから入力した映像信号を選択するかを入力解像度変換・フレーム同期処理手段６０１−６０４に設定する。入力映像信号の選択は１つとは限らない。図４は複数の入力画像がある場合の表示方法について説明したものであり、これらは最終的にスクリーン７１４で表示される投影画像を表している。
【００１１】
ここで入力映像信号が１つの場合には（ａ）のように表示画像全体で表示するが、（ｂ）のように２つの入力映像信号を選択して並べて表示させることもあれば、（ｃ）のように４つの入力映像信号を選択して田の字に並べて表示する場合もある。選択された入力映像信号は画像入力端子７０１−７０４を通り、入力解像度変換・フレーム同期処理手段６０１−６０４において解像度変換とフレームレート変換を行う。
【００１２】
ここで解像度変換は最終的に表示したいサイズとなるように変換を行う。これは最終的に複数のプロジェクタ７１０−７１３で構成されるマルチ画像表示システムでの表示画面の解像度における、選択された入力映像信号の表示解像度から算出する。例えば入力映像信号の解像度が８０００画素ｘ６０００画素であり、マルチ画像表示システムでの投影画面の解像度が４０００画素ｘ３０００画素だとしたら、入力解像度変換・フレーム同期処理手段６０１−６０４において画素数をＨＶともに１／２となるように解像度変換を行う。
【００１３】
また図４（ｂ）や（ｃ）に示したように複数の入力映像信号を入力する場合には、入力解像度変換・フレーム同期処理手段６０１−６０４においてフレーム同期処理も行う。これは入力されたそれぞれ非同期同士の入力映像信号のフレーム周波数とフレームタイミングを同期させるものであり、それにより後段の書き込み制御手段６０５以降のブロック６での各映像信号の取り扱いが簡単になる。
【００１４】
入力解像度変換・フレーム同期処理手段６０１−６０４で解像度変換とフレーム同期処理された映像信号は、書き込み制御手段６０５によりメモリ６０６に書き込まれる。このとき書き込み制御手段６０５は、図４（ａ）から（ｃ）に示したように、最終的に表示されるレイアウトでメモリ６０６にそれぞれの映像信号を書き込む。６０７は画像切り出し制御手段であり、各プロジェクタ７１０−７１３に合わせた形でメモリ６０６から画像を切り出す。
【００１５】
図５は画像切り出し制御手段６０７による切り出し領域について説明した図である。それぞれメモリ６０６に記憶された最終的な表示画像イメージから、マルチ画像表示を構成する各プロジェクタ７１０−７１３用に読み出す画像の領域を表している。それぞれ（ａ）はプロジェクタ７１０、（ｂ）はプロジェクタ７１１、（ｃ）はプロジェクタ７１２、（ｄ）はプロジェクタ７１３が表示する領域である。
【００１６】
プロジェクタ用の画像であるため、エッジブレンドを行うための斜線で表したエッジブレンド領域分だけ余分に隣接する画像の領域も含んでいる。このエッジブレンド領域では、エッジブレンド処理手段６１２−６１５においてゲイン処理を行い、プロジェクタ７１０−７１３で投影したときに合成利得が１になるように制御される。
【００１７】
このように画像分割配信装置７０５では、ひとつもしくは複数の映像信号を入力し、それら入力映像信号をユーザーの設定に応じて配置設定を行ってひとつの画面に合成し、複数の画像表示装置に合わせて画像を切り出して供給する。市販の画像分割配信装置としては、例えば三菱電機株式会社によるディスプレイウォールプロセッサＶＣ−ＭＫ４０００などがある。しかし画像分割配信装置は複数の画像を組み合わせて一つの高解像度画像を生成するか、もしくは一つの高解像度画像を、画像表示装置の数に合わせて分割しなくてはならないため、最大解像度に合わせて大容量のフレームメモリが必要となる。
【００１８】
また接続する画像表示装置が４台だとすると、画像分割配信装置には４台分の画像出力端子が必要であり、これらの出力端子と各画像表示装置をビデオケーブル等で接続しなくてはならない。そして画像表示装置が増えると、その分だけハードウェアの規模も大きくなり、また各画像表示装置への接続も手間が掛かるようになってしまう。
【００１９】
ここで取り扱う画像を静止画に限定すると、動画像処理に伴うフレームレート変換や即時処理性が不要となることから、画像分割配信装置のハードウェアを大幅に削減することができる。
【００２０】
静止画のみに限定した場合、スキャナとプリンタにＬＡＮなどの通信機能を組み合わせた、いわゆる複合機がある。この複合機ではスキャナで静止画像を生成し、その静止画像をプリンタで印刷することでコピー機として用いることもできるし、ＬＡＮを通じてＰＣから印刷させることでプリンタとして用いることもできるし、またスキャナで生成した静止画像を、ＬＡＮを通じて送信させることでネットワークスキャナとして用いることもできる。
【００２１】
また、モニタやプロジェクタにおいてもＬＡＮを持つものがあり、複合機と接続することにより複合機とＰＣと画像表示装置を接続することにより、複合機でスキャンした静止画像を画像表示機器で表示させることができる（特許文献１参照）。
【先行技術文献】
【特許文献】
【００２２】
【特許文献１】特開２００８−９６７４８号公報
【発明の概要】
【発明が解決しようとする課題】
【００２３】
静止画に限定されるが、ここで複合機もしくはスキャナと、ＰＣと、ＬＡＮ機能を持つ複数のモニタやプロジェクタなどの画像表示装置を組み合わせることにより、複合機でスキャンした高解像度画像を表示するマルチ画像表示装置とすることができる。これにより高価で接続が煩雑となってしまう画像分割配信装置を使わなくて済む。但しこの場合には、ＬＡＮで接続したＰＣで複合機や画像表示装置を制御しなくてはならない。
【００２４】
例えばマルチ画像表示装置の画像表示解像度から複合機のスキャナを設定してスキャンさせたり、各々の画像表示装置に適した画像を切り出して送信したり、画像表示装置に適切な表示となるように設定して画像を表示させたりの制御である。そのため画像分割配信装置を使わなくて済むとしても、操作は煩雑となってしまい、簡単に画像を入力して表示することができない。
【００２５】
そこで、本発明の目的は、取り扱う画像を静止画に限定し、高価で接続が煩雑な画像分割配信装置を用いずに、しかも統合的に簡単にマルチ画像表示システムを実現することを可能とした画像入力マルチ表示装置を提供することにある。
【課題を解決するための手段】
【００２６】
上記の目的を達成するために、本発明に係るマルチ画像表示システムは、
画像入力装置で取得した画像を複数の画像表示装置で表示するマルチ画像表示システムであり、
画像入力装置は、
画像入力手段と、画像入力制御手段と、記憶手段と、通信手段と、からなり、
画像表示装置はそれぞれ、
画像表示手段と、画像表示制御手段と、記憶手段と、通信手段と、画像処理手段と、からなり、
前記記憶手段にマルチ表示設定情報を持ち、
この情報を通信手段を介して画像入力装置に通知し、
画像入力装置では前記各画像表示装置から通知されたマルチ表示設定情報から、前記各画像表示装置の必要とする分担表示領域と表示解像度に適応した部分の画像読み取りを行うため、画像入力制御手段は画像入力手段の読み取り条件を決定し、画像読み取りを行い、通信手段を介して対応する表示装置に送信を行う。
各画像表示装置は画像入力装置から送られてくる画像を通信手段を介して受信したら、画像処理手段において画像表示手段で表示するための画像処理を行い、画像表示手段において画像を表示することを特徴とする。
【発明の効果】
【００２７】
本発明によれば、取り扱う画像を静止画に限定し、高価で接続が煩雑な画像分割配信装置を用いずに、しかも統合的に簡単にマルチ画像表示システムを実現することを可能とした画像入力マルチ表示装置を提供することができる。
【図面の簡単な説明】
【００２８】
【図１】本発明を表すマルチ画像表示装置のブロック図である。
【図２】本発明の第一の実施例のフローチャートである。
【図３】本発明の第二の実施例のフローチャートである。
【図４】複数の入力画像がある場合の表示方法について説明したものである。
【図５】画像切り出し制御手段６０７による切り出し領域について説明した図である。
【図６】画像分割配信装置７０５の内部構成について説明した図である。
【図７】画像分割配信装置を用いたフロントプロジェクタによるマルチ画像表示システムについて表した図である。
【発明を実施するための形態】
【００２９】
以下、本発明を実施するための形態について、図面を参照しながら説明する。
【００３０】
［実施例１］
スキャナ（複合機）を静止画の入力手段として、複数のプロジェクタを組み合わせたマルチ画像表示システムにおいて、プロジェクタの一つをコントローラとしてマルチ画像表示システム全体を統合的に制御する。
【００３１】
以下、図１を参照して、本発明の第１の実施例によるマルチ画像表示装置について説明する。
【００３２】
１００は画像入力装置であり、具体的にはＬＡＮ機能を持つスキャナ、もしくはコピー機能も持つ複合機である。ここで１０１はＣＰＵであり画像入力装置１００が持つブロックの制御を行う。１０２はスキャナ部であり、印刷物などをスキャンして画像ファイルを生成する。１０３はメモリであり、スキャナ部１０２で生成した画像ファイルを一旦記憶したり、画像入力装置の設定条件などを記憶する。１０４は通信Ｉ／Ｆであり、外部機器との通信を行う。１０５は内部バスであり、画像入力装置１００内のブロック間の通信経路である。
【００３３】
１０６は第一の画像表示装置であり、具体的にはＬＡＮ機能を持つフロントプロジェクタである。これ以降、プロジェクタと呼ぶ。ここで１０７はＪＰＥＧやＢＭＰなどの画像ファイルを復号して画像データを生成するデコーダである。１０８はエッジブレンド処理などを行う画像処理手段である。１０９は映像信号に基づいて光変調を行う光変調パネルである。具体的には液晶パネルやＤＭＤなどである。１１０は投射光学系であり、光変調パネル１０９で変調された光をスクリーン７１４へ投影する。
【００３４】
１１１はＣＰＵであり、第一のプロジェクタ１０６内のブロックを制御する。１１２はメモリであり、外部から取得した画像ファイルや各種設定を記憶する。１１３は通信Ｉ／Ｆであり、外部機器との通信を行う。１１４は内部バスであり、第一の画像表示装置１０６内のブロック間の通信経路である。１１５は映像信号ラインであり、映像信号を伝送する経路である。
【００３５】
１１６は第二のプロジェクタであり、第一のプロジェクタ１０６や不図示のプロジェクタと合わせてマルチ画像表示装置として用いられる。内部ブロックについては第一のプロジェクタ１０６と同じであることから説明を省略する。１２６はＬＡＮであり、各機器間の通信経路である。
【００３６】
図２のフローチャートを用いて動作を説明する。
【００３７】
Ｓ２００では、ユーザーは第一のプロジェクタ１０６や第二のプロジェクタ１１６などをマルチ画像表示用に設置する。ここではスクリーン７１４にテストパターンなどを表示して、投射光学系１１０によりズームやフォーカスや設置位置を調整して、マルチ画像投射用の設置を行う。
【００３８】
Ｓ２０１では、ユーザーは第一のプロジェクタ１０６や第二のプロジェクタ１１６などのマルチ画像投射表示を構成している全てのプロジェクタに対して、マルチ画像投射における自機の担当投射位置や、縦位置投射か横位置投射かの投射方向や、エッジブレンド領域の設定を行う。
【００３９】
Ｓ２０２では、ユーザーはマルチ画像投射表示を構成しているプロジェクタ１０６、１１６から、マスタープロジェクタを決定する。これはこの後の制御主体を決める処理であり、位置的にアクセスしやすいプロジェクタを選択すると良い。ここでは便宜的に第一のプロジェクタ１０６をマスタープロジェクタとする。
【００４０】
Ｓ２０３では、ユーザーによりマスタープロジェクタである第一のプロジェクタ１０６のＣＰＵ１１１から画像入力装置１００のＣＰＵ１０１に対してスキャンの指示を出す。画像入力装置１００ではＣＰＵ１０１は内部バス１０５を通じてスキャナ部１０２にスキャンを指示する。スキャン部１０２では予め設定されていた条件で不図示の原稿台に置かれた原稿のスキャンを行い、画像データをメモリ１０３に記憶させる。ＣＰＵ１０１はメモリ１０３に記憶された画像データを、ＪＰＥＧやＢＭＰなどの画像ファイルに変換し、メモリ１０３に記憶させる。
【００４１】
Ｓ２０４では、マスタープロジェクタである第一のプロジェクタ１０６は、それ以外のプロジェクタである第二のプロジェクタ１１６に対して画像入力装置１００へ指定した画像ファイルを取得するよう指示するとともに、自らも当該画像ファイルを取得する。すなわち全てのプロジェクタのＣＰＵ１１１、ＣＰＵ１２１は画像入力装置１００のメモリ１０３から、指示された画像ファイルを読み出して自機のメモリ１１２、１２２に記憶させる。
【００４２】
Ｓ２０５では、メモリ１１２、１２２に記憶した画像ファイルを読み出してデコーダ１０７、１１７においてＪＰＥＧファイルもしくはＢＭＰなどのフォーマットによる画像ファイルをデコードして画像データを生成する。
【００４３】
Ｓ２０６では、全てのプロジェクタ１０６、１１６は、Ｓ２０１で設定した設定値に基づいて、マルチ画像投射による投射画像における自機が投射する分の画像の位置を判定し、デコーダ１０７、１１７でデコードした画像データから画像処理手段１０８、１１８において自機が表示する領域を切り出す。具体的には図５（ａ）から（ｄ）で説明したように、斜線で示したエッジブレンド領域も含めた自機が投射する領域を切り出す。そしてエッジブレンド領域に対してエッジブレンド処理である利得処理を行い、自機に合わせて解像度変換を行う。光変調手段１０９、１１９では光を変調して投影光学系１１０、１２０を通じて投射する。全てのプロジェクタ１０６、１１０が投射することにより、マルチ画像投射による投射画像がスクリーン７１４に投射されることになる。
【００４４】
Ｓ２０７では、画像を回転させるかどうかユーザーが判断する。すなわち画像入力装置１００においてスキャンした画像の方向が間違っていた場合に、ここでユーザーが判断して画像を回転させる指示を行う。実際にはＳ２０６で表示されたマルチ投射画像をユーザーが見て判断する。ユーザーより投射画像を回転させる要求があった場合にはＳ２０８の処理を行い、回転させる要求が無かった場合にはＳ２１０の処理を行う。
【００４５】
Ｓ２０８では、マルチ投射画像を見て判断したユーザーにより、マスタープロジェクタである第一のプロジェクタ１０６に対して例えば９０°の右回転や、左回転や、１８０°の右回転や、左回転を指示する。そのユーザーの指示に従い、ＣＰＵ１１１は全てのプロジェクタ１０６、１１６に対してユーザーに指示された画像回転の指示を行う。
【００４６】
Ｓ２０９では、全てのプロジェクタ１０６、１１６においてＣＰＵ１１１、１２１を通じて画像処理手段１０８、１１８においてデコーダ１０７、１１７から入力された画像データの回転処理を行う。そして再びＳ２０６において切り出し処理とエッジブレンド処理を行って画像を投射する。
【００４７】
Ｓ２１０では、Ｓ２０７においてユーザーから画像の回転要求が無かった場合に、画像入力装置１００において新たな原稿のスキャンを行うかどうか判断する。新たな画像をスキャンする要求がユーザーからあった場合には、Ｓ２０３の処理からによるスキャンから再度実施する。
【００４８】
Ｓ２１１では、投射を終了するかどうか判断する。ここで終了の要求が無い場合にはＳ２１０の処理による新たな原稿のスキャンの要求があるかどうかの判断を行う。Ｓ２１１で終了の要求があった場合には、Ｓ２１２においてＣＰＵ１１１は画像入力装置１００と全てのプロジェクタ１０６、１１６に対して終了コマンドを指示する。
【００４９】
［実施例２］
スキャナ（複合機）を静止画の入力手段として、複数のプロジェクタを組み合わせたマルチ画像表示システムにおいて、スキャナ（複合機）をコントローラとしてマルチ画像表示システム全体を統合的に制御する。
【００５０】
以下、本発明の第２の実施例によるマルチ画像表示装置について説明するが、ハードウェアの構成については第１の実施例によるものと同一であるので説明を省略する。
【００５１】
図３のフローチャートを用いて動作を説明する。
【００５２】
Ｓ３００では、ユーザーは第一のプロジェクタ１０６や第二のプロジェクタ１１６などをマルチ画像表示用に設置する。ここではスクリーン７１４にテストパターンなどを表示して、投射光学系１１０によりズームやフォーカスや設置位置を調整して、マルチ画像投射用の設置を行う。
【００５３】
Ｓ３０１では、ユーザーは第一のプロジェクタ１０６や第二のプロジェクタ１１６などのマルチ画像投射表示を構成している全てのプロジェクタに対して、マルチ画像投射における自機の担当投射位置や、縦位置投射か横位置投射かの投射方向や、エッジブレンド領域の設定を行う。
【００５４】
Ｓ３０２では、画像入力装置１００のＣＰＵ１０１は全てのプロジェクタ１０６、１１６のＳ３０１で設定した設定条件も含め、必要な設定条件をメモリ１１２、１２２から読み出す。
【００５５】
Ｓ３０３では、ユーザーの要求により画像入力装置１００に対してスキャンの要求を行う。画像入力装置１００ではＣＰＵ１０１は内部バス１０５を通じてスキャナ部１０２にスキャンを指示する。スキャン部１０２では予め設定されていた条件で不図示の原稿台に置かれた原稿のスキャンを行い、画像データをメモリ１０３に記憶させる。ＣＰＵ１０１はメモリ１０３に記憶された画像データを、ＪＰＥＧやＢＭＰなどの画像ファイルに変換し、メモリ１０３に記憶させる。
【００５６】
Ｓ３０４では、画像入力装置１００のＣＰＵ１０１において、Ｓ３０３で読みこんだ各プロジェクタ１０６、１１６の設定条件から、マルチ画像投射による投射画像のうちの各プロジェクタ１０６、１１６の投射領域分をメモリ１０３に記憶した画像データから切り出す。そしてＣＰＵ１０１でＪＰＥＧやＢＭＰなどの画像ファイルに変換し、ＬＡＮ１２６を通じて各プロジェクタ１０６、１１６のメモリ１１２、１２２に送信する。
【００５７】
Ｓ３０５では、各プロジェクタ１０６、１１６は各々のメモリ１１２、１２２から画像ファイルをデコーダ１０７、１１７に転送し画像データにデコードする。デコードされた画像データは、画像処理手段１０８、１１８においてエッジブレンド領域に対してエッジブレンド処理である利得処理を行い、自機に合わせて解像度変換を行う。光変調手段１０９、１１９では光を変調して投影光学系１１０、１２０を通じて投射する。全てのプロジェクタ１０６、１１０が投射することにより、マルチ画像投射による投射画像がスクリーン７１４に投射されることになる。
【００５８】
Ｓ３０６では、画像を回転させるかどうかユーザーが判断する。すなわち画像入力装置１００においてスキャンした画像の方向が間違っていた場合に、ここでユーザーが判断して画像を回転させる指示を行う。実際にはＳ３０５で表示されたマルチ投射画像をユーザーが見て判断する。ユーザーより投射画像を回転させる要求があった場合にはＳ３０７の処理を行い、回転させる要求が無かった場合にはＳ３０８の処理を行う。
【００５９】
Ｓ３０７では、画像入力装置１００のＣＰＵ１０１では、メモリ１０３に記憶した画像データを読み出して、指定された回転処理を行う。例えば９０°の右回転や、左回転や、１８０°の右回転や、左回転処理を行う。そして回転処理を行った画像データをメモリ１０３に記憶させ、Ｓ３０４の処理を行う。
【００６０】
Ｓ３０８では、Ｓ３０６においてユーザーから画像の回転要求が無かった場合に、画像入力装置１００において新たな原稿のスキャンを行うかどうか判断する。新たな画像をスキャンする要求がユーザーからあった場合には、Ｓ３０３の処理からによるスキャンから再度実施する。
【００６１】
Ｓ３０９では、投射を終了するかどうか判断する。ここで終了の要求が無い場合にはＳ３０８の処理による新たな原稿のスキャンの要求があるかどうかの判断を行う。Ｓ３０９で終了の要求があった場合には、Ｓ３１０においてＣＰＵ１１１は画像入力装置１００と全てのプロジェクタ１０６、１１６に対して終了コマンドを指示する。
【００６２】
以上、本発明の好ましい実施形態について説明したが、本発明はこれらの実施形態に限定されず、その要旨の範囲内で種々の変形及び変更が可能である。
【符号の説明】
【００６３】
１００  画像入力装置、
１０１  ＣＰＵ（Ｃｅｎｔｒａｌ  Ｐｒｏｃｅｓｓｅｒ  Ｕｎｉｔ）、
１０２  スキャナ部、１０３  メモリ、１０４  通信Ｉ／Ｆ（Ｉｎｔｅｒ  Ｆａｃｅ）、
１０５  内部バス、１０６  第一の画像表示装置、１０７  デコーダ、
１０８  画像処理手段、１０９  光変調パネル、１１０  投射光学系、
１１１  ＣＰＵ（Ｃｅｎｔｒａｌ  Ｐｒｏｃｅｓｓｅｒ  Ｕｎｉｔ）、１１２  メモリ、
１１３  通信Ｉ／Ｆ（Ｉｎｔｅｒ  Ｆａｃｅ）、１１４  内部バス、
１１５  映像信号ライン、１１６  第二のプロジェクタ、１１７  デコーダ、
１１８  画像処理手段、１１９  光変調パネル、１２０  投射光学系、
１２１  ＣＰＵ（Ｃｅｎｔｒａｌ  Ｐｒｏｃｅｓｓｅｒ  Ｕｎｉｔ）、１２２  メモリ、
１２３  通信Ｉ／Ｆ（Ｉｎｔｅｒ  Ｆａｃｅ）、１２４  内部バス、
１２５  映像信号ライン、１２６  ＬＡＮ（Ｌｏｃａｌ  Ａｒｅａ  Ｎｅｔｗｏｒｋ）
【図１】
2017198770.tif 000003
【図２】
2017198770.tif 000004
【図３】
2017198770.tif 000005
【図４】
2017198770.tif 000006
【図５】
2017198770.tif 000007
【図６】
2017198770.tif 000008
【図７】
2017198770.tif 000009